(57)【要約】【課題】テレビ電話等で通話中の相手に、メールアドレス等の文字で表された情報を、正確にかつ簡便に伝えることができるテレビ電話システムの提供を目的とする。【解決手段】  本発明にかかるテレビ電話システムは、携帯電話機間で、所定の形式の画像ストリームと音声とを送受信してテレビ電話での通信を行っている間に、片方の携帯電話機が、所定の情報を表した文字データを変換して生成された画像データに基づいた画像ストリームであって、前記所定の形式の画像ストリームを送信し、受信した携帯電話機は、受信している画像ストリームから得られる画像データを文字データに変換させ、変換された文字データを記憶する。【選択図】図１
2009207101.tif 000002
【特許請求の範囲】
【請求項１】
第１及び第２携帯電話機から構成されるテレビ電話システムであって、
前記第１携帯電話機は、
所定の形式の画像ストリームと音声とを、前記第２携帯電話機と送受信する第1テレビ電話手段と、
所定の情報を表した文字データを変換して生成された画像データを記憶する第1記憶手段と、
前記第1テレビ電話手段により送受信している間に、ユーザから前記所定の情報を送信する指示を取得したら、前記第1テレビ電話手段に、前記第1記憶手段に記憶されている画像データに基づいた前記所定の形式の画像ストリームを送信させる第1制御手段とを備え、
前記第２携帯電話機は、
所定の形式の画像ストリームと音声とを、前記第１携帯電話機と送受信する第２テレビ電話手段と、
画像データを文字データに変換する変換手段と、
前記変換手段で変換された文字データを記憶するための第２記憶手段と、
前記変換手段に、前記第２テレビ電話手段で受信した画像ストリームから得られる画像データを文字データに変換させ、変換された文字データを前記第２記憶手段に記憶する第２制御手段とを備える
ことを特徴とするテレビ電話システム。
【請求項２】
前記第２制御手段は、前記第２テレビ電話手段が、前記第1記憶手段に記憶されている画像データに基づいた前記所定の形式の画像ストリームを受信している間に、ユーザから前記画像データを変換する指示を取得したら、前記変換手段に、前記第２テレビ電話手段で受信している画像ストリームから得られる画像データを文字データに変換させる
ことを特徴とする請求項１記載のテレビ電話システム。
【請求項３】
前記第１記憶手段が記憶する画像データに変換された文字データは、第１携帯電話機のメールアドレスを含む情報であり、
前記第２記憶手段は、メールアドレスと名称とを対応付けて記憶しており、
前記第２制御手段は、ユーザから名称を指定して記憶する指示を取得したら、前記変換した文字データに含まれるメールアドレスを指定された名称と対応付けて前記第２記憶手段に記憶させる
ことを特徴とする請求項１記載のテレビ電話システム。
【請求項４】
前記第１記憶手段が記憶する画像データに変換された文字データは、第１携帯電話機のメールアドレスとユーザの名称とを含む情報であり、
前記第２記憶手段は、メールアドレスと名称とを対応付けて記憶しており、
前記第２制御手段は、前記変換した文字データに含まれるメールアドレスと名称とを対応付けて前記第２記憶手段に記憶させる
ことを特徴とする請求項１記載のテレビ電話システム。
【請求項５】
前記第２携帯電話機は、メールを送信するメール送信手段を備え、
前記第２制御部は、前記変換した文字データに含まれるメールアドレス宛に、送信元アドレスとして前記第２携帯電話機のメールアドレスを含む所定のメールを送信し、
前記第１携帯電話機は、更に、メールを受信するメール受信手段と、メールアドレスを記憶するための第１記憶手段とを備え、
前記第１制御部は、前記所定のメールを前記メール受信手段で受信した場合は、当該所定のメールの送信元アドレスを前記第１記憶手段に記憶させる
ことを特徴とする請求項４記載のテレビ電話システム。
【請求項６】
前記第１携帯電話機は、更に、静止画又は動画を撮像する撮像手段を備え、
前記第1テレビ電話手段は、前記第１携帯電話機が当該第１テレビ電話手段により送受信している間、前記撮像手段で撮像された静止画又は動画に基づいて生成された所定の形式の画像ストリームを送信し、
前記第１制御手段は、前記第1テレビ電話手段により送受信している間に、ユーザから前記所定の情報を送信する指示を取得したら、前記第1テレビ電話手段に、前記第1記憶手段に記憶されている画像データに基づいた前記所定の形式の画像ストリームを、前記撮像手段で撮像された静止画又は動画に基づいて生成された所定の形式の画像ストリームに替えて送信させ、
第２制御手段は、前記第1記憶手段に記憶されている画像データに基づいた前記所定の形式の画像ストリームを前記第２テレビ電話手段により受信している間に、前記変換手段に、前記第２テレビ電話手段で受信している画像ストリームから得られる画像データを文字データに変換させる
ことを特徴とする請求項１記載のテレビ電話システム。
【請求項７】
所定の形式の画像ストリームと音声とを、他の携帯電話機と送受信するテレビ電話手段と、
所定の情報を表した文字データを変換して生成された画像データを記憶する記憶手段と、
前記テレビ電話手段により送受信している間に、ユーザから前記所定の情報を送信する指示を取得したら、前記テレビ電話手段に、前記記憶手段に記憶されている画像データに基づいた前記所定の形式の画像ストリームを送信させる制御手段とを備える
ことを特徴とする携帯電話機。
【請求項８】
所定の形式の画像ストリームと音声とを、他の携帯電話機と送受信するテレビ電話手段と、
画像データを文字データに変換する変換手段と、
前記変換手段で変換された文字データを記憶するための記憶手段と、
前記変換手段に、前記テレビ電話手段で受信した画像ストリームから得られる画像データを文字データに変換させ、変換された文字データを前記記憶手段に記憶する制御手段とを備える
ことを特徴とする携帯電話機。
【発明の詳細な説明】
【技術分野】
【０００１】
本発明は、携帯電話機間のデータ通信に関し、特にテレビ電話等による通信を行っている間に文字に表されている情報を送受信する技術に関する。
【背景技術】
【０００２】
近年の、携帯電話機等の通信端末には、従来の音声による通話を行う機能以外に様々な通信機能が備えられている。例えば、メールの送受信機能、テレビ電話機能などである。
【０００３】
これら機能は、それぞれに一長一短があり、ユーザは目的に応じて使い分けている。例えば、文章を送る場合は、メールを使い、相手の顔を見ながら話したい場合や、何かを見せながら説明したい場合等は、テレビ電話を使う等である。
【０００４】
文字で表されている情報、例えば、メールアドレスを伝えるには、メール本文にメールアドレスを記載してメールにより送信するのが正確で便利であるが、相手のメールアドレスを知っている場合に限られる。
【０００５】
また、電話中に、メールアドレスを伝えたい場合は、音声で伝えるのが便利であるが、メールアドレスが正確に伝わらない場合がある。メールアドレスは長文である場合が多く、また、アルファベットと数字から成ることから「ｐ（ピー）」と「ｔ（ティー）」等の聞き違いが生ずる場合があるからである。また、テレビ電話中であっても、音声以外で伝えようとすると、メールアドレスを書いた紙を映した映像を送るなどしなければならず、受信側でも、画面の解像度によって判読可能な大きさで表示されない場合や、判読可能であっても、画面を見ながらメールアドレスを書き写したりしなければならない等、手間がかかり、正確に伝わらない場合も生ずる。
【０００６】
そこで、新しいメールアドレスを正確に、伝えたい相手にのみ伝えることが出来る技術がある（特許文献１）。この技術は、メールアドレスが変更になった場合に、メールアドレスの管理サーバが新しいメールアドレスを伝えてもよいかを、通信相手の端末で判断する。管理サーバがよいと判断した場合にのみ、新しいメールアドレスが伝えられる。
【特許文献１】特開２００２−２７８８８４号公報
【発明の開示】
【発明が解決しようとする課題】
【０００７】
しかし、この技術では、希望する相手にメールアドレスを正確に伝えることはできるものの、今通話中の相手にメールアドレスを伝えたい場合は、サーバにアクセクしない限り伝えることは出来ない。また、通話中に、通信相手にメールでメールアドレスを伝えることは出来るが、操作の手間がかかり、また、相手のメールアドレスを知らない場合は伝えることはできない。
【０００８】
そこで、本発明は、テレビ電話での通信中の相手に、メールアドレス等の文字で表された情報を、正確に、且つ、簡便に伝えることができるテレビ電話システムの提供を目的とする。
【課題を解決するための手段】
【０００９】
上記課題を解決する為に、本発明のテレビ電話システムは、第１及び第２携帯電話機から構成されるテレビ電話システムであって、前記第１携帯電話機は、所定の形式の画像ストリームと音声とを、前記第２携帯電話機と送受信する第1テレビ電話手段と、所定の情報を表した文字データを変換して生成された画像データを記憶する第1記憶手段と、前記第1テレビ電話手段により送受信している間に、ユーザから前記所定の情報を送信する指示を取得したら、前記第1テレビ電話手段に、前記第1記憶手段に記憶されている画像データに基づいた前記所定の形式の画像ストリームを送信させる第1制御手段とを備え、前記第２携帯電話機は、所定の形式の画像ストリームと音声とを、前記第１携帯電話機と送受信する第２テレビ電話手段と、画像データを文字データに変換する変換手段と、前記変換手段で変換された文字データを記憶するための第２記憶手段と、前記変換手段に、前記第２テレビ電話手段で受信した画像ストリームから得られる画像データを文字データに変換させ、変換された文字データを前記第２記憶手段に記憶する第２制御手段とを備えることを特徴とする。
【００１０】
ここで、文字データとは、文字を文字コードで表したものをいうものとする。
【００１１】
所定の形式とは、テレビ電話の規格をいい、例えば、特定の映像圧縮方式などをいうものとする。
【発明の効果】
【００１２】
本発明に係るテレビ電話システムは、上述の構成を備えることにより、テレビ電話で通話中に、文字データを変換して生成した画像データを画像ストリームとして送信できるので、受信側である第２携帯電話機は、通常の画像ストリームとして文字データを変換して生成した画像データを受信できるようになる。従って、受信側は、受信した画像ストリームから画像データを取り出して文字データに変換することで文字データを正確に、且つ、簡便に得ることが出来る。
【００１３】
すなわち、携帯電話機でテレビ電話中に、会話を中断することなく、文字データを交換することが可能となる。
【００１４】
また、前記第２制御手段は、前記第２テレビ電話手段が、前記第1記憶手段に記憶されている画像データに基づいた前記所定の形式の画像ストリームを受信している間に、ユーザから前記画像データを変換する指示を取得したら、前記変換手段に、前記第２テレビ電話手段で受信している画像ストリームから得られる画像データを文字データに変換させることとしてもよい。
【００１５】
これにより、画像データの受信側である第２携帯電話機は、画像データを文字データに変換するタイミングを知ることができるので、無駄な画像データの変換を行うことが無くなり、効率のよい変換を行うことが可能となる。
【００１６】
また、前記第１記憶手段が記憶する画像データに変換された文字データは、第１携帯電話機のメールアドレスを含む情報であり、前記第２記憶手段は、メールアドレスと名称とを対応付けて記憶しており、前記第２制御手段は、ユーザから名称を指定して記憶する指示を取得したら、前記変換した文字データに含まれるメールアドレスを指定された名称と対応付けて前記第２記憶手段に記憶させることとしてもよい。
【００１７】
これにより、文字データとしてメールアドレスを文字コードで送信できる、すなわち、文字コードに変換可能な画像を送信できるので、受信側である第２携帯電話機では、受信した画像を文字コードに変換して、ユーザがアドレス帳のユーザ名を指定し、文字コードで表されたメールアドレスを登録することができるようになる。
【００１８】
また、前記第１記憶手段が記憶する画像データに変換された文字データは、第１携帯電話機のメールアドレスとユーザの名称とを含む情報であり、前記第２記憶手段は、メールアドレスと名称とを対応付けて記憶しており、前記第２制御手段は、前記変換した文字データに含まれるメールアドレスと名称とを対応付けて前記第２記憶手段に記憶させることとしてもよい。
【００１９】
これにより、文字データとしてメールアドレスとユーザ名とを文字コードで送信できるので、受信側である第２携帯電話機では、受信したメールアドレスとユーザ名をアドレス帳に自動で登録することができるようになる。
【００２０】
すなわち、受信側では、ユーザが手動で登録する手間が省け、且つ、正確なメールアドレスとユーザ名とを登録することが可能となる。
【００２１】
また、前記第２携帯電話機は、メールを送信するメール送信手段を備え、前記第２制御部は、前記変換した文字データに含まれるメールアドレス宛に、送信元アドレスとして前記第２携帯電話機のメールアドレスを含む所定のメールを送信し、前記第１携帯電話機は、更に、メールを受信するメール受信手段と、メールアドレスを記憶するための第１記憶手段とを備え、前記第１制御部は、前記所定のメールを前記メール受信手段で受信した場合は、当該所定のメールの送信元アドレスを前記第１記憶手段に記憶させることとしてもよい。
【００２２】
これにより、受信側である第２携帯電話機では、送信側である第１携帯電話機のメールアドレスを文字コードで表した文字データで受信できる、すなわち、文字コードに変換可能な画像を受信し、文字コードに変換できるので、自動でメールを送信することができるようになる。
【００２３】
すなわち、受信側である第２携帯電話機のユーザは、手動でメールを送信することなく自動で、送信側である第１携帯電話機に自分のメールアドレスを伝えることが可能となる。
【００２４】
また、前記第１携帯電話機は、更に、静止画又は動画を撮像する撮像手段を備え、前記第1テレビ電話手段は、前記第１携帯電話機が当該第１テレビ電話手段により送受信している間、前記撮像手段で撮像された静止画又は動画に基づいて生成された所定の形式の画像ストリームを送信し、前記第１制御手段は、前記第1テレビ電話手段により送受信している間に、ユーザから前記所定の情報を送信する指示を取得したら、前記第1テレビ電話手段に、前記第1記憶手段に記憶されている画像データに基づいた前記所定の形式の画像ストリームを、前記撮像手段で撮像された静止画又は動画に基づいて生成された所定の形式の画像ストリームに替えて送信させ、第２制御手段は、前記第1記憶手段に記憶されている画像データに基づいた前記所定の形式の画像ストリームを前記第２テレビ電話手段により受信している間に、前記変換手段に、前記第２テレビ電話手段で受信している画像ストリームから得られる画像データを文字データに変換させることとしてもよい。
【００２５】
これにより、テレビ電話中に携帯電話機が撮影した画像データを通信相手に送信している画像ストリームと同様の形式で、文字データを変換した画像データを送信できるので、受信側である第２携帯電話機は、特別な処理を行わずに文字データを変換して生成した画像データを受信できるようになり、受信した画像ストリームから画像データを取り出して文字データに変換することが出来る。
【００２６】
また、本発明に係る携帯電話機は、所定の形式の画像ストリームと音声とを、他の携帯電話機と送受信するテレビ電話手段と、所定の情報を表した文字データを変換して生成された画像データを記憶する記憶手段と、前記テレビ電話手段により送受信している間に、ユーザから前記所定の情報を送信する指示を取得したら、前記テレビ電話手段に、前記記憶手段に記憶されている画像データに基づいた前記所定の形式の画像ストリームを送信させる制御手段とを備えることを特徴とする。
【００２７】
さらに、本発明に係る携帯電話機は、所定の形式の画像ストリームと音声とを、他の携帯電話機と送受信するテレビ電話手段と、画像データを文字データに変換する変換手段と、前記変換手段で変換された文字データを記憶するための記憶手段と、前記変換手段に、前記テレビ電話手段で受信した画像ストリームから得られる画像データを文字データに変換させ、変換された文字データを前記記憶手段に記憶する制御手段とを備えることを特徴とする。
【００２８】
これらの携帯電話機が提供されることにより、テレビ電話システムの構築ができるようになる。
【発明を実施するための最良の形態】
【００２９】
＜実施形態１＞
＜概要＞
通常、テレビ電話による通信を行っているとき、お互いの携帯電話機は、自機で撮影している動画像とユーザの発した音声とをそれぞれ特定の方式で送信し、相手からの動画像と音声とをそれぞれ特定の方式で受信し、受信した画像を表示し音声を出力することで、相手の顔を見ながら通話を行う。
【００３０】
本発明にかかる携帯電話機は、ユーザが希望したタイミングで、撮影している動画像を送信する替わりに、ＱＲコード（登録商標）等の２次元バーコードの画像を送信する。
【００３１】
２次元バーコードの画像は、文字列、すなわち文字コードを変換して得られるものであり、また逆に、２次元バーコードの画像から文字コードに変換することも可能である。
【００３２】
従って、テレビ電話で通信している最中に、送信側で、例えば、文字列であるメールアドレスを変換した２次元バーコードの画像を送信し、受信側では、受信した２次元バーコードの画像を変換して文字列にすることで、メールアドレスを正確に、且つ、簡便に送ることが可能となる。
【００３３】
また、本発明にかかる携帯電話機であって、２次元バーコードの画像を受信する側の携帯電話機では、文字コードとしてメールアドレスを得ることができるので、そのままアドレス帳に登録したり、受信したことを確認するメールを送信したりすることが容易にできるようになる。
【００３４】
以下、本発明にかかるテレビ電話システムを構成する携帯電話機を説明する。
【００３５】
＜構成＞
まず、本発明の実施形態に係る携帯電話機の構成について図１を用いて説明する。図１は、携帯電話機の構成を示す機能ブロック図である。
【００３６】
携帯電話機１０００は、アンテナ１１１０を備える通信部１１００、撮像部１２００、操作部１３００、表示部１４００、外部音声を入力するマイク１５１０と音声信号を出力するスピーカ１５２０とを備える音声処理部１５００、制御部１６００、メール送受信部１７００、アドレス帳管理部１８００、画像文字変換部１９００、テレビ電話機能部２０００、アドレス帳記憶部３０００及び画像データ記憶部４０００から構成される。
【００３７】
まず、制御部１６００は、図示しないＣＰＵ、メモリ等を備え、通話、応答メッセージ等、携帯電話機に必要な一般的な制御処理を行う他、以下に説明する各機能部に指示を出して本発明に特有の処理、例えば、ユーザ操作を受けて画像データを通信相手に送信する等の処理を行う。
【００３８】
通信部１１００は、変復調回路や信号処理回路等を含み、制御部１６００の指示により、基地局（図示しない。）と通信する機能を有する。
【００３９】
撮像部１２００は、レンズやＣＣＤ（Charge Coupled Device）カメラ等であり、レンズによって集光された撮影対象からの反射光を電気信号に変換する。その際、ＣＣＤは、任意に設定された撮像フレームレートに沿って反射光を電気信号に変換する。撮像部１２００は、電気信号からデジタル信号に変換し、このデジタル信号に、各種信号処理を施して画像フレームを生成する機能を有する。
【００４０】
また、操作部１３００は、キー、ボタン等を含み、ボタンの押下等のユーザ操作を検出し制御部１６００に通知する機能を有する。
【００４１】
表示部１４００は、液晶等のディスプレイを含み、制御部１６００の指示により、当該ディスプレイにメニューやメール本文、テレビ電話中の通信相手からの画像等を表示する機能を有する。
【００４２】
音声処理部１５００は、音声のデジタル化や変復調等の処理を行う機能を有する。
【００４３】
メール送受信部１７００は、メールの作成、メールの送受信を通信部１１００を介して行う機能を有する。
【００４４】
アドレス帳管理部１８００は、アドレス帳記憶部３０００に記憶されているアドレス帳３１００及びプロフィール３２００への電話番号等の登録、更新、削除、読出し等の処理を行う機能を有する。
【００４５】
このアドレス帳３１００には、氏名、電話番号、メールアドレス等が登録されている。また、プロフィール３２００は、携帯電話機１０００のユーザに関する情報である氏名、携帯電話機１０００の電話番号等が登録されている。
【００４６】
次に、画像文字変換部１９００は、２次元バーコードの画像データを文字データに、文字データを画像データに変換する機能を有する。ここで、画像データとは、１フレームの画像のデータをいい、文字データとは、文字コードで表された文字列のデータをいう。
【００４７】
この画像文字変換部１９００で変換された画像データは、画像データ記憶部４０００に記憶される。本実施形態では、プロフィール画像データ４１００が記憶されているものとする。プロフィール画像データ４１００については、図２を用いて後の＜データ＞の項で説明する。
【００４８】
テレビ電話機能部２０００は、画像送受信部２１００と音声送受信部２２００とを備え、いわゆるテレビ電話による通信を行う機能を有する。このテレビ電話による通信は、制御部１６００からの指示により開始し、制御部１６００からの指示により終了する。
【００４９】
画像送受信部２１００は、制御部１６００を介して撮像部１２００が生成した画像フレームを受け取り、所定の方式、例えば、映像圧縮方式であるＭＰＥＧ（Moving Picture Experts Group）−４規格の動画像データを生成し、制御部１６００を介して通信相手に送信する機能を有する。また、通信相手から受信した画像を復号し、制御部１６００を介して表示部１４００に表示を依頼する機能も有する。
【００５０】
更に、画像送受信部２１００は、画像データ記憶部４０００に記憶されている画像データを用いたＭＰＥＧ−４規格の動画像を生成して送信する機能も有する。
【００５１】
音声送受信部２２００は、制御部１６００を介して、マイク１５１０から入力されたユーザの発言等の音声を音声処理部１５００から受け取り、所定の方式、例えば、音声圧縮方式であるＡＭＲ（Adaptive Multi-Rate）規格の音声データを生成し、制御部１６００を介して通信相手に送信する機能を有する。また、通信相手から受信した音声を復号し、制御部１６００を介して、音声処理部１５００に指示しスピーカ１５２０に出力する機能を有する。
【００５２】
ここで制御部１６００等の各部による各処理の全部または一部は、ＣＰＵが各種プログラムを実行することにより実現されるものである。
【００５３】
＜データ＞
以下、本発明の携帯電話機が用いる主なデータについて、図２及び図３を用いて説明する。
【００５４】
まず、図２は、アドレス帳記憶部３０００に記憶されているプロフィール３２００の構成例及び内容例、並びに、画像データ記憶部４０００に記憶されているプロフィール画像データ４１００の例を示す図である。
【００５５】
プロフィール３２００は、名前３２１０、電話番号３２２０、メールアドレス３２３０、部署３２４０、会社住所３２５０等の項目で構成される。
【００５６】
電話番号３２２０とメールアドレス３２３０は、それぞれ、携帯電話機１０００の電話番号とメールアドレスであり、これらは、携帯電話機に固有のものである。
【００５７】
名前３２１０は、携帯電話機１０００のユーザの名称であり、部署３２４０は、ユーザの所属部署であり、会社住所３２５０は、ユーザの会社の住所である。これらは、携帯電話機のユーザが、自ら入力したものである。
【００５８】
例えば、この携帯電話機１０００のユーザの名前３２１０は、「イチロー」であり、メールアドレス３２３０は「ak9ru0fscm@aaa.ne.jp」である。
【００５９】
プロフィール画像データ４１００は、プロフィール３２００を、画像文字変換部１９００で変換した結果の２次元バーコード４１１０を表示する画像データである。例えば、プロフィール３２００内の情報から、「名前、イチロー；メールアドレス、ak9ru0fscm@aaa.ne.jp；部署、人事部；会社住所、大阪市；・・・」のような一定の規則に従った文字列を作成し、２次元バーコードに変換する。この一定の規則は、テレビ電話システムにおいて定められているものとする。尚、本図で記載している２次元バーコードは、説明の便宜上記載したものであり、正しく変換されたものではない。図６も同様である。
【００６０】
次に、図３は、アドレス帳記憶部３０００に記憶されているアドレス帳３１００の構成例及び内容例を示す図である。
【００６１】
アドレス帳３１００は、登録番号３１１０、名前３１２０、携帯番号３１３０、メールアドレス１３１４０、会社住所３１５０、部署３１６０等の項目で構成され、通信相手に関する個人情報を登録人数分含む。
【００６２】
まず、登録番号３１１０は、このアドレス帳の個人情報の識別子を表す。本実施形態では、「001」、「002」等で示される。
【００６３】
名前３１２０は、本アドレス帳に登録されている通信相手の氏名、名称等を表し、携帯番号３１３０は、本アドレス帳に登録されている通信相手の携帯電話機の電話番号である。また、メールアドレス３１４０は、通信相手のメールアドレスである。
【００６４】
例えば、登録番号３１１０「001」で識別される個人情報３１８０は、名前３１２０が「Ａ男」、携帯番号３１３０が「09022222222」、メールアドレス３１４０が「A@BBB.ne.jp」である。
【００６５】
＜動作＞
以下、上述した携帯電話機の動作について図４〜図７を用いて説明する。
【００６６】
まず、図４と図５を用いて、テレビ電話中の画像の送受信について簡単に説明する。
【００６７】
図４は、テレビ電話で通信中の携帯電話機の画面を表した図である。
【００６８】
ここでは、携帯電話機Ａと携帯電話機Ｂとがテレビ電話で通信している場合を想定する。
【００６９】
携帯電話機Ａと携帯電話機Ｂとは、共に、携帯電話機１０００（図１参照）と同様の構成を有するものとする。
【００７０】
尚、以下、符号の後に「Ａ」が付されているものは携帯電話機Ａの機能部等を、「Ｂ」が付されているものは携帯電話機Ｂの機能部等を指すものとする。例えば、図４の画面１４１０Ａは携帯電話機Ａの画面を、画面１４１０Ｂは携帯電話機Ｂの画面を表す図であるとする。
【００７１】
画面１４１０Ａには、携帯電話機Ｂから受信している画像が表示され、右下には、携帯電話機Ｂに送信している画像が表示されている。すなわち、通信相手の画像が大きく表示され、画面１４１０Ａの右下には、自分の画像が小さく表示されている。画面１４１０Ｂも同様である。
【００７２】
図５は、テレビ電話で通信中に携帯電話機間で送受信される画像を表した図である。
【００７３】
本図において、上段と下段に連続して記載されている矩形は、送信されている画像ストリームを表し、１つの矩形は画像フレームを表す。また、画像フレームは、受信側での表示順に記載されているものとする。
【００７４】
例えば、携帯電話機Ａからは、撮像部１２００Ａで撮影された画像フレーム１２１０Ａが、順次、携帯電話機Ｂに送信される。また、逆に、携帯電話機Ｂからは、撮像部１２００Ｂで撮影された画像フレーム１２１０Ｂが、順次、携帯電話機Ａに送信される。
【００７５】
尚、本図では、送信される画像フレームを表示順に記載しているが、ＭＰＥＧ−４等で圧縮されたデータが送られる場合は、必ずしも、受信側での表示順で画像フレームが送信されるわけではない。
【００７６】
次に、プロフィール画像データ４１００を送受信する方法を説明する。
【００７７】
図６は、テレビ電話で通信中に送受信されるプロフィール画像データ４１００を示した図である。
【００７８】
ここでは、携帯電話機Ａからプロフィール画像データ４１００Ａを送信しているところを表している。
【００７９】
本発明では、撮像部１２００Ａで撮影した画像フレームに替えて、プロフィール画像データ４１００Ａを送信する。
【００８０】
詳細には、プロフィール画像データ４１００Ａから、撮像部１２００で生成された画像フレームと同様の画像フレーム１２２０Ａを作成して、送信する。
【００８１】
携帯電話機Ｂでは、プロフィール画像データ４１００Ａを、通常の画像フレームと同様に受信し表示する。この受信したプロフィール画像データ４１００Ａを文字データに変換することで、携帯電話機Ｂは携帯電話機Ａから、プロフィール３２００Ａを受信したことになる。
【００８２】
尚、音声は、プロフィール画像データ４１００Ａを送信している間も、送受信される。
【００８３】
次に、図７を用いて、文字データの送受信処理について説明する。
【００８４】
図７は、文字データの送受信処理を示すフローチャートである。本図において、点線の矩形は、ユーザが行う操作であり、実線の矩形は携帯電話機が行う処理である。また、白抜きの太線は、テレビ電話による通信が行われていることを示すものとする。
【００８５】
ここでは、携帯電話機Ａのユーザと携帯電話機Ｂのユーザとは、お互いの電話番号は知っているが、メールアドレスを知らない場合を想定し、メールアドレスを交換する処理を説明する。
【００８６】
まず、携帯電話機Ａのユーザは、自己のプロフィール３２００Ａからプロフィール画像データ４１００Ａを作成する。
【００８７】
具体的には、メニュー等から送信する画像データとしてプロフィール３２００Ａを指定し、変換ボタンを押下する（ステップＳ１００）。
【００８８】
変換ボタンの押下を検知した操作部１３００Ａは、制御部１６００Ａに画像データの作成を依頼し、依頼を受けた制御部１６００Ａは、プロフィール３２００Ａを画像文字変換部１９００Ａに変換させる。
【００８９】
制御部１６００Ａは、変換されたプロフィール画像データ４１００Ａを画像データ記憶部４０００Ａに記憶する（ステップＳ１１０）。
【００９０】
携帯電話機Ａのユーザは、携帯電話機Ｂの電話番号を入力し、テレビ電話ボタンを押下し発信を行う（ステップＳ１２０）。詳細には、制御部１６００Ａは、操作部１３００Ａを介してテレビ電話ボタンが押下されたことを検知し、発信処理を行う。
【００９１】
テレビ電話着信中に（ステップＳ１２１）、携帯電話機Ｂのユーザは、テレビ電話ボタンを押下して着信を受ける（ステップＳ２００）。制御部１６００Ｂは、テレビ電話着信中に、操作部１３００Ｂを介してテレビ電話ボタンが押下されたことを検知し、テレビ電話の着信を受けたことを携帯電話機Ａに通信部１１００Ｂを介して通知する。
【００９２】
一方、携帯電話機Ａの制御部１６００Ａは、通信部１１００Ａを介して携帯電話機Ｂがテレビ電話による着信を受けたことを検知する。
【００９３】
これで、携帯電話機Ａと携帯電話機Ｂとのテレビ電話による通信が開始される（ステップＳ２０１）。
【００９４】
通信開始後、携帯電話機Ａ及びＢでは、それぞれの携帯電話機において、制御部１６００、撮像部１２００とテレビ電話機能部２０００とにテレビ電話を開始する旨通知する。
【００９５】
テレビ電話の通信を開始する旨の通知を受けた、携帯電話機Ａ及びＢそれぞれの撮像部１２００は、撮影を開始し、設定されているフレームレートで画像フレームを出力する。
【００９６】
携帯電話機Ａ及びＢそれぞれのテレビ電話機能部２０００の画像送受信部２１００は、撮像部１２００からの画像フレームを通信相手の携帯電話機宛に送信し、通信相手から受信した画像フレームを表示部１４００に表示させる（図５参照）。
【００９７】
また、携帯電話機Ａ及びＢそれぞれのテレビ電話機能部２０００の音声送受信部２２００は、マイク１５１０で入力した音声を所定の方式で、通信相手に送信し、通信相手から受信した音声をスピーカ１５２０に出力する。
【００９８】
テレビ電話で通信を行っている最中に、携帯電話機Ａのユーザは、自己のプロフィールを携帯電話機Ｂのユーザに送信する。具体的には、ユーザが、例えば、「今から、送ります。」と発音して相手に伝えてから、メニューでプロフィールを指定して、データ送信ボタンを押下する（ステップＳ１３０）。
【００９９】
プロフィールを指定してからデータ送信ボタンが押下されたことを検知した操作部１３００Ａは、制御部１６００Ａを介して画像送受信部２１００Ａに、画像データ記憶部４０００Ａのプロフィール画像データ４１００Ａを送信する旨の指示を出す。
【０１００】
指示を受けた画像送受信部２１００Ａは、撮像部１２００Ａからの画像フレームを送信するのを中止し、プロフィール画像データ４１００Ａから作成した画像フレームを通信相手に送信する（ステップＳ１４０、図６参照）。
【０１０１】
このプロフィール画像データ４１００Ａから作成した画像フレームを通信相手に送信している時間は、予め決められているものとする。例えば、通信相手の画面に５秒間表示されているように、画像ストリームを送信する。具体的には、送信する画像ストリームに含まれる各画像フレームは、それぞれ表示タイミング情報を持っていることから、５秒間表示される分の画像フレームを送信する。
【０１０２】
一方、携帯電話機Ｂでは、携帯電話機Ａのユーザから、音声で「今から、送ります。」と言われた後、画面に表示されていた携帯電話機Ａのユーザの顔に替わって、バーコードが表示される（ステップＳ２１０、図６参照）。携帯電話機Ｂのテレビ電話機能部２０００Ｂは、携帯電話機Ａから受信する画像フレームを表示しているだけであり、バーコードが表示されている画像フレームであることは認識していない。
【０１０３】
携帯電話機Ｂのユーザは、画面にバーコードが表示されている間に、変換ボタンを押下する（ステップＳ２２０）。本実施形態では、変換ボタンが押下された時に表示されている画像データを変換するものとする。
【０１０４】
変換ボタンが押下されたことを検知した操作部１３００Ｂは、その旨制御部１６００Ｂに通知し、通知を受けた制御部１６００Ｂは、現在表示されている画像フレーム、すなわち、バーコードが表示されている画像データを画像送受信部２１００Ｂから取得し、画像文字変換部１９００Ｂに文字データに変換させる（ステップＳ２３０、図２参照）。これで、実際には、携帯電話機Ａから携帯電話機Ｂに画像を送信しているが、携帯電話機Ｂでは、受信した画像を変換して文字データを得ることができるので、間接的にではあるが、文字データが送信されたことになる。
【０１０５】
制御部１６００Ｂは、変換された文字データをアドレス帳管理部１８００Ｂに渡し、アドレス帳３１００に登録する旨を指示する。
【０１０６】
指示を受けたアドレス帳管理部１８００Ｂは、受け取った文字データを解析して、アドレス帳３１００Ｂに登録する（ステップＳ２４０）。
【０１０７】
具体的には、例えば、図２に示すプロフィール３２００の文字データ「名前、イチロー；メールアドレス、ak9ru0fscm@aaa.ne.jp；部署、人事部；会社住所、大阪市；・・・」を受け取った場合、アドレス帳３１００Ｂの名前３１２０Ｂの欄に「イチロー」があるか否かを検索し、無ければ、登録し、メールアドレス３１４０Ｂの欄に「ak9ru0fscm@aaa.ne.jp」を、会社住所３１５０Ｂの欄に「大阪市」を、部署３１６０Ｂの欄に「人事部」を登録する。名前３１２０Ｂの欄に「イチロー」があった場合には、そのメールアドレス３１４０Ｂの欄を「ak9ru0fscm@aaa.ne.jp」で、会社住所３１５０Ｂの欄を「大阪市」で、部署３１６０Ｂの欄を「人事部」で更新する。
【０１０８】
更新されたアドレス帳３１９０の内容例を図９に示す。個人情報３１９１が、登録された個人情報である。
【０１０９】
アドレス帳管理部１８００Ｂは、登録を完了したら、その旨を制御部１６００Ｂに通知し、登録したメールアドレスを渡す。ここでは、メールアドレスとして「ak9ru0fscm@aaa.ne.jp」を渡す。
【０１１０】
アドレス帳３１００Ｂへの登録を完了した旨の通知を受けた制御部１６００Ｂは、受け取ったメールアドレスをメール送信部１７００Ｂに渡し、確認メールの送信を依頼する。
【０１１１】
依頼を受けたメール送受信部１７００Ｂは、受け取ったメールアドレス宛に確認メールを送信する（ステップＳ２５０）。確認メールは、メール本文に、例えば、「メールアドレスを登録しました。」等の予め用意されている文章を記載したものである。
【０１１２】
携帯電話機Ａは、携帯電話機Ｂからの確認メールを受信する（ステップＳ２５１、ステップＳ１５０）。
【０１１３】
確認メールを受信した携帯電話機Ａのユーザは、音声で、確認メールが届いたことを携帯電話機Ｂのユーザに伝え、確認メールから携帯電話機Ｂのメールアドレスを指定し、登録の操作をすることで、アドレス帳３１００Ａに登録する（ステップＳ１６０）。詳細には、操作部１３００Ａを介して、メールアドレスの登録の操作が成されたことを検知した制御部１６００Ａは、アドレス帳管理部１８００Ａに、メールアドレスを登録する処理を依頼する。依頼されたアドレス帳管理部１８００Ａは、指定されたメールアドレスを登録する。
【０１１４】
これで、携帯電話機Ａと携帯電話機Ｂとは、お互いのメールアドレスを交換したことになる。
【０１１５】
その後、テレビ電話での通信終了する。具体的には、携帯電話機Ａのユーザは、テレビ電話終了ボタンを押下し（ステップＳ１７０）、携帯電話機Ｂのユーザも、テレビ電話終了ボタンを押下し（ステップＳ２６０）、テレビ電話での通信を終了する（ステップＳ１７１）。
＜変形例１＞
＜概要＞
実施形態１では、携帯電話機Ｂが確認メールを送り、携帯電話機Ａのユーザが手動でメールアドレスを登録することとしていた（図７、ステップＳ１６０参照）が、本変形例では、自動で登録するものである。
【０１１６】
携帯電話機の構成及びデータは、実施形態１と同様である。以下、動作を説明する。
【０１１７】
＜動作＞
図８は、変形例２の処理を示すフローチャートである。
【０１１８】
図７で示した処理と、ほとんど同じであり、異なる点のみを説明する。
【０１１９】
本変形例では、メール送受信部１７００Ｂが、確認メールに、携帯電話機Ｂのユーザのプロフィール画像データを添付して送信する（ステップＳ６００、ステップＳ６０１）。プロフィール画像データの作成方法は、図７のステップＳ１００ｔｏステップＳ１１０と同様である。
【０１２０】
携帯電話機Ａの制御部１６００Ａは、受信したメールに添付されたプロフィール画像を、画像文字変換部１９００Ａに変換させ、変換された文字データをアドレス帳管理部１８００Ａに渡し、登録を指示する。
【０１２１】
指示を受けたアドレス帳管理部１８００Ａは、受け取った文字データを解析して、アドレス帳３１００Ａに登録する（ステップＳ５００）。具体的には、図７のステップＳ２４０で説明した処理と同様である。
【０１２２】
＜補足＞
以上、本発明に係るテレビ電話システムについて実施形態に基づいて説明したが、このテレビ電話システムや携帯電話機を部分的に変形することもでき、本発明は上述の実施形態に限られないことは勿論である。即ち、
（１）実施形態では、お互いに、メールアドレスを知らない場合を想定して説明したが、メールアドレスが変更された場合であってもよい。
【０１２３】
この場合は、例えば、メールアドレスのみを画像データとして送信し、受信側では、ユーザがアドレス帳に手動で登録することとしてもよい。
【０１２４】
また、自分のメールアドレスが変更となって、相手が特定のメールアドレスのメールのみ受信することとしている場合などの、メールでメールアドレスの変更を伝えることが出来ない場合にも有効である。
（２）実施形態では、受信したプロフィール画像データが画面に表示されたのをユーザが確認し、ユーザが変換ボタンを押下して文字データに変換したが、ユーザを介さずに、画像データを受信したことを検知して文字データに変換することとしても良い。この場合、プロフィール画像データであるＱＲコードを表示しなくてもよい。
【０１２５】
この場合、例えば、フレームのヘッダ部分等に、画像データであることを示すコードを入れておくなどしておき、受信側で、そのコードを検知したら変換を行う。
【０１２６】
また、実施形態では、テレビ電話中に、プロフィール画像データを変換してアドレス帳に登録することとしているが、テレビ電話を終了した後等に、プロフィール画像データを変換してアドレス帳に登録することとしてもよい。
【０１２７】
この場合は、例えば、受信したプロフィール画像データが画面に表示されている間に、ユーザが保存ボタンを押下したら画像データを記憶する、また、受信側で、画像データを受信したことを検知できる場合は、受信したら画像データを記憶する。その後のテレビ電話中や、テレビ電話終了後に変換を行う。
（３）実施形態では、文字データを２次元バーコードの画像データに変換して送信しているが、文字列の画像を送信し、受信側でＯＣＲ（Optical Character Recognition）等で文字列にすることとしてもよい。
【０１２８】
この場合、文字画像変換部は、イメージスキャナー等とＯＣＲ等となる。
（４）実施形態では、２次元バーコードのみが表示された画像データを送信したが、送信する画像の１部分、例えば、送信している撮影画像の一部に表示して送信してもよい。
【０１２９】
その場合、例えば、画像文字変換部１９００が画像データ内のＱＲコードの位置を検出して、文字データに変換する。
（５）実施形態では、予め、プロフィール画像データを作成しておくこととしているが、画像データの送信指示を受けたときに、文字データから画像データを作成して、送信することとしてもよい。
（６）実施形態では、文字データを変換した画像データとして、２次元バーコードの画像データを使用しているが、１次元バーコードでも、他の方式の画像データでもよく、文字データと画像データが相互に変換可能なものであればよい。
（７）実施形態で示した携帯電話機の各機能を実現させる為の各制御処理（図７等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した各機能が実現される。
【産業上の利用可能性】
【０１３０】
画像を送受信可能な通信端末間での、文字で表された情報を送受信する場合の技術として有用である。
【図面の簡単な説明】
【０１３１】
【図１】本発明の携帯電話機の構成を示す機能ブロック図である。
【図２】アドレス帳記憶部３０００に記憶されているプロフィール３２００の構成例及び内容例、及び、画像データ記憶部４０００に記憶されているプロフィール画像データ４１００の例を示す図である。
【図３】アドレス帳記憶部３０００に記憶されているアドレス帳３１００の構成例及び内容例を示す図である。
【図４】テレビ電話で通信中の携帯電話機の画面を表した図である。
【図５】テレビ電話で通信中に携帯電話機間で送受信される画像を表した図である。
【図６】テレビ電話で通信中に送受信されるプロフィール画像データ４１００を示した図である。
【図７】文字データの送受信処理を示すフローチャートである。
【図８】変形例１の文字データの送受信処理を示すフローチャートである。
【図９】更新されたアドレス帳３１９０の内容例を示す図である。
【符号の説明】
【０１３２】
１０００    携帯電話機
１１００    通信部
１２００    撮像部
１３００    操作部
１４００    表示部
１５００    音声処理部
１６００    制御部
１７００    メール送受信部
１８００    アドレス帳管理部
１９００    画像文字変換部
２０００    テレビ電話機能部
３０００    アドレス帳記憶部
４０００    画像データ記憶部
【図１】
2009207101.tif 000003
【図２】
2009207101.tif 000004
【図３】
2009207101.tif 000005
【図４】
2009207101.tif 000006
【図５】
2009207101.tif 000007
【図６】
2009207101.tif 000008
【図７】
2009207101.tif 000009
【図８】
2009207101.tif 000010
【図９】
2009207101.tif 000011